(57)【特許請求の範囲】
【請求項１】
第１基部から裏面開口の角状の櫛部を水平方向に突出させ、且つ該第１基部から下方へ第１係合凸部を延出させた第１基板と、
該第１基板の角状の櫛部とスライド自在に嵌合する角状の仕切り部を、第２基部から水平方向に突出させた、該第１基板とは分離部材である第２基板と、を有し、該角状の仕切り部の該第２基部の反対側には、該第１係合凸部と係合する第１係合凹部を設けたことを特徴とする組み合わせ商品陳列台。
【請求項２】
該第１基板と該第２基板を水平方向にスライド自在に嵌合して伸長型陳列面を形成することを特徴とする請求項１記載の組み合わせ商品陳列台。
【請求項３】
該第１基板の角状の櫛部の先端部を、該第２基板の第２基部上に載置し、該第１係合凸部と該第１係合凹部を係合させて積層型陳列面を形成することを特徴とする請求項１記載の組み合わせ商品陳列台。
【請求項４】
該第１基板の角状の櫛部の天面及び該第２基板の角状の仕切り部の天面には、それぞれ該天面の幅よりやや狭い幅を有するレール部材が付設されることを特徴とする請求項１〜３のいずれか１項記載の組み合わせ商品陳列台。
【請求項５】
隣接する角状の仕切り部間で形成される凹部の底面の該第２基部の反対側には、該角状の櫛部の開口の先端部が係合して、該第１基板と該第２基板の伸長方向のスライド移動を規制する第１係合部を有することを特徴とする請求項１又は２記載の組み合わせ商品陳列台。
【請求項６】
該第２基部の天面には、該角状の櫛部の開口の先端部が係合する第２係合部を有することを特徴とする請求項１又は３記載の組み合わせ商品陳列台。
【請求項７】
該第１係合凸部は、該第１係合凹部と係合する一対の係合鍔を両側部材の後方端に有し、該仕切り部のレール部材に係合する第２係合凹部を前方部材の下方端に有することを特徴とする請求項１〜６のいずれか１項に記載の組み合わせ商品陳列台。
【請求項８】
該第２基板の一方の側面には第１連結用雄部が、他方の側面には連結用雌部がそれぞれ付設されることを特徴とする請求項１〜７のいずれか１項に記載の組み合わせ商品陳列台。
【請求項９】
該第２基部には第２連結用雄部が付設されていることを特徴とする請求項１〜８のいずれか１項に記載の組み合わせ商品陳列台。
【請求項１０】
請求項１〜９記載の組み合わせ商品陳列台を２個以上組み合わせて得られることを特徴とする商品陳列セット。
【発明の詳細な説明】
【技術分野】
【０００１】
本発明は、スーパーや百貨店等、商品を陳列する際、売り場の状況に対応して種々の陳列面を演出する組み合わせ商品陳列台及び商品陳列セットに関するものである。
【背景技術】
【０００２】
従来、商品特性や数量に応じて複数の陳列形態を演出する商品陳列台が種々提案されている。特開２００４−１６６３１号公報には、Ｖ字コーナー部を有する段差のついた商品陳列本体部と、該Ｖ字コーナー部の両側面に差し渡しで回動自在に付設される箱状の脚部からなる２陳列方式の商品陳列台が開示されている。この２陳列方式の商品陳列台によれば、商品の特性や商品量により陳列形態を１台で２通りに変えることができる。また、特開２００４−８４２４号公報には、緩斜面及び急斜面を備える山状の陳列面と、該緩斜面に連続する平板面に横溝を複数条配設した商品陳列台が開示されている。この商品陳列台によれば、奥行き寸法が制限された陳列棚での使用に好適で且つ陳列の演出に優れる。
【０００３】
これらの商品陳列台はいずれも段差を利用したものであり、種々の趣のある陳列面が演出できるものの、段差のない水平面内における陳列形態は演出できない。従来、水平面内における商品陳列の際、演出効果を高めるためにスノコや柄のついたシートなどが使用されていた。これらは、設置場所の寸法に合わせるため、通常、既存のスノコ状の商品陳列台をカットして用いたり、事前に寸法を計測して、オーダーで作製したりしていた。実際に売り場を作る際、陳列面の変更は必然的なものであり、現場での対応が頻繁に行われていた。
【特許文献１】特開２００４−１６６３１号公報（請求項１、図１）
【特許文献２】特開２００４−８４２４号公報（請求項１、図１）
【発明の開示】
【発明が解決しようとする課題】
【０００４】
しかしながら、上記のようなその都度の対応は非常に面倒になっており、納期が延びたり、設置コストを上昇させていた。また、設置後の改装などがあると再使用できなくなり無駄が生じるという問題もあった。また、スノコ単独では階段状陳列面を形成することができないという問題がある。
【０００５】
従って、本発明の目的は、陳列面に対して、水平面内における展開、高さ方向への展開、段差形態への展開を１台又は複数台で、素早く対応でき、且つ改装後の再利用性の高い商品陳列台及び商品陳列セットを提供することにある。
【課題を解決するための手段】
【０００６】
すなわち、本発明は、上記課題を解決するものであって、第１基部から裏面開口の角状の櫛部を水平方向に突出させ、且つ該第１基部から下方へ第１係合凸部を延出させた第１基板と、該第１基板の角状の櫛部とスライド自在に嵌合する角状の仕切り部を、第２基部から水平方向に突出させた、該第１基板とは分離部材である第２基板と、を有し、該角状の仕切り部の該第２基部の反対側には、該第１係合凸部と係合する第１係合凹部を設けた組み合わせ商品陳列台（以下、単に「商品陳列台」と言う。）を提供するものである。
【０００７】
また、本発明は、前記組み合わせ商品陳列台を２個以上組み合わせて得られる商品陳列セットを提供するものである。
【発明の効果】
【０００８】
本発明の商品陳列台において、第１基板と第２基板をスライド自在に嵌合させ伸長型陳列面とすれば、１台の商品陳列台で水平面内の伸長方向へ任意の寸法での展開が可能となる。また、第２基板上に第１基板を載置して積層型陳列面とすれば、高さ方向への展開が可能となる。また、第１連結用雄部、第２連結用雄部又は連結用雌部を利用して同じ他の商品陳列台を連結して商品陳列セットを構成すれば、更に水平方向への大きな展開が可能となる。更に、複数の商品陳列台を積み重ねれば、段差形態を採ることができる。これらの陳列面は現場で素早く組み立てて対応でき、且つ改装後の再利用性が高い。
【発明を実施するための最良の形態】
【０００９】
次に、本発明の実施の形態における商品陳列台を図１〜図１４を参照して説明する。図１は本実施の形態例の商品陳列台の分解斜視図、図２は本例の商品陳列台の伸長型陳列面の縮小状態を示す斜視図、図３は図１を左方向に９０度回転させた方向から見た斜視図、図４は本例の商品陳列台の伸長型陳列面の伸長状態を示す斜視図、図５は図１の後方（裏側）から見た商品陳列台の分解斜視図、図６は本例の商品陳列台の積層型陳列面を示す斜視図、図７は図５の商品陳列台の一部を切り欠いて示す図、図８は本例の商品陳列台の第１基板を裏側から見た図、図９は図８を後方（裏側）から見た図、図１０は図９の丸印を拡大して見た図、図１１は本第１の実施の形態例の商品陳列セットを示す図、図１２は本第２の実施の形態例の商品陳列セットを示す図、図１３は本第３の実施の形態例の商品陳列セットを示す図、図１４は図１３を逆サイドから見た商品陳列台の斜視図をそれぞれ示す。本明細書において、スライド方向が前後方向であって、図１における手前を「前」、その反対方向を「後」と言う。
【００１０】
商品陳列台１０は、第１基板１と、第１基板１とスライド自在に嵌合する第１基板１とは分離部材（別部材）である第２基板２からなり、第１基板１と第２基板２を組み合わせて使用する。
【００１１】
第１基板１は、第１基部１８から裏面開口の角状の櫛部１１（本例では１２本）を水平方向（図１中、後方）に突出させ、且つ第１基部１８から下方へ第１係合凸部１５を延出させたものである。櫛部１１の角状は所定の高さａ、所定の幅ｃ、所定の長さｄを有し、裏面の開口幅ｅを有するケース状部材である。また、櫛部１１の角状体は隣接する櫛部１の角状体とは隙間ｆ離れている。また、櫛部１の角状体の天面及び該天面に連続する第１基部１８の天面には、角状体の天面幅よりもやや狭い幅ｅで、長さは先端から第１基部１８のやや手前まで前後方向に延出する板状のレール部１３を有する。また、第１基部１８の天面で隣接するレール部１３間には、レール部１３と同じ幅ｅのチップ状の第３係合部１４を有している。
【００１２】
第１係合凸部１５は、所定の幅ｆ、長さｇ及び高さｈを有する角状のケース部材であって、両側部材１５３の後方先端部はやや外側に広がった鍔部１５１を有し、前方部材１５４の下端部は一部が切り欠かれた第２凹部１５２を形成している。第１係合凸部１５のケース部の裏面の開口部は櫛部１の角状体の開口と連通している（図８）。
【００１３】
第２基板２は、第１基板１の角状の櫛部１１とスライド自在に嵌合する角状体の仕切り部２１を、第２基部２８から水平方向に多数本（図では１２本）突出させたものである。角状の仕切り部２１間に形成される凹部２２の幅ｆは、第１基板１の角状の櫛部がスライド自在となると共に、嵌合形態で緩みがない程度の寸法である。凹部２２の長さは、第１基板１の角状の櫛部１１の長さと略同じである。
【００１４】
隣接する角状の仕切り部２１間で形成される凹部２２の底面の第２基部２８の反対側には、角状の櫛部１１の開口の先端部が係合して、第１基板１と第２基板２の伸長方向のスライド移動を規制する、すなわち第１基板１と第２基板２とが外れることを防止するチップ状の第１係合部２６を有する。また、角状の仕切り部２１の第２基部２８の反対側の内面には、第１係合凸部１５の一対の鍔部１５１と係合する一対の縦溝（第１係合凹部）２０を有している。また、角状の仕切り部２１の天面及び該天面に連続する第２基部２８の天面には、仕切り部２１の角状体の天面幅よりもやや狭い幅ｅで、長さは先端及び後端から共にやや手前まで前後方向に延出する板状のレール部２３を有する。また、第２基部２８の天面には、積層型陳列面を形成する際、角状の櫛部１１の開口の先端部が係合するチップ状の第２係合部２９を有する。また、第２基板２の第２基部２８と反対側の前方側部材２０１の底面には、左右方向に所定の間隔で所定幅の切り欠き部２４を有している。切り欠き部２４の幅及び高さ寸法は、第１係合凸部１５の第２凹部１５２の幅及び高さと同じであり、伸長型陳列面の縮小状態において、切り欠き部２４と第２凹部１５２は連続して共通の凹部を形成する。また、第２基板２の一方の側面には第１連結用雄部２５が、他方の側面には連結用雌部２７がそれぞれ付設されている。また、第２基部２８の後側面の下方には左右方向に所定のピッチで第２連結用雄部３１が付設されている。
【００１５】
次に、第１基板１と第２基板２を水平方向にスライド自在に嵌合して伸長型陳列面を有する商品陳列台の形成方法の一例について説明する。先ず、図１に示すように、第１基板１と第２基板２を、第１基板１の第１基部１８と第２基部２８が対向するように配置すると共に、第２基板２の仕切り部２１間の凹部２２に第１基板１の角状の櫛部１１が嵌るように組み付ける。図２に示す縮小状態の商品陳列台１０は、第２基板２の仕切り部２１間の凹部２２に第１基板１の角状の櫛部１１が隙間なくぴったりと嵌ると共に、第１基板１の第１係合凸部１５の一対の鍔部１５１が第２基板２の前方側部材２０１の面に当接している。縮小状態の商品陳列台１０は、第１基板１の角状の櫛部１１に付設されたレール部材１３と、第２基板２の仕切り部２１に付設されたレール部材２３が所定のピッチで併設する形態を採ると共に、レール部材１３、２３の天面同士が面一となって、滑り難い水平状の陳列面を形成する。
【００１６】
縮小状態の商品陳列台１０を伸長状態とするには、第１基板１を第２基板２と離間する方向、すなわち、手前に引けばよい。更に第１基板１を第２基板２と離間する方向に引けば、角状の櫛部１１の裏面開口の先端部が第２基板２の第１係合部２６に当接し、それ以上の伸長を抑制すると共に、最大伸長位置が決定される（図４）。最大伸長位置にある陳列面であれば、櫛部１１の角状体間の空間１２及び角状の仕切り部２１間の凹部の隙間が生じるものの、その隙間より大きな商品を広い陳列面に陳列することができる。また、縮小位置から最大伸長位置までの任意の位置で所望の長さ（大きさ）の陳列面を設定することができる。
【００１７】
次に、積層型陳列面を有する商品陳列台の形成方法の一例について説明する。先ず、図５に示すように、第１基板１と第２基板２の垂直方向における位置関係は、図１の両者の位置関係において、第２基板２を少し後退させた関係である。すなわち、第１基板１の角状の櫛部１１の先端部を、第２基板２の第２基部２１上に載置し、第１係合凸部１５の一対の鍔部１５１を第１係合凹部である一対の縦溝２０に係合させるものである。これにより、第２基板２の第２基部２８の高さｂに加えて、第１基板１の第１基部１８の高さａが加算されると共に、両者は容易に外れることはない。
【００１８】
本実施の形態例の商品陳列台１０において、第１基板１と第２基板２をスライド自在に嵌合させる伸長型陳列面とすれば、１台の商品陳列台１０で水平面内の伸長方向への展開が可能となる。また、第２基板２上に第１基板１を載置して積層型陳列面とすれば、高さ方向への展開が可能となる。また、第１連結用雄部２５、第２連結用雄部３１又は連結用雌部２７を利用して同じ他の商品陳列台を連結すれば、更に伸長方向への大きな展開が可能となる。また、複数台の商品陳列台を用いれば、段差形態を採ることができる。これらの陳列面は現場で素早く組み立てて対応でき、且つ改装後の再利用性が高い。
【００１９】
本発明における第１の実施の形態例の商品陳列セットを図１１を参照して説明する。図１１は３個の商品陳列台を組み合わせた組み合わせ体の斜視図である。図１１中、組み合わせ体１０ａは、縮小状態の商品陳列台１０、最大伸長状態の商品陳列台１０及び縮小状態と最大伸長状態の中間にある商品陳列台１０を、それぞれ、最上段、最下段及びその中間に配置し、一端（後方端）を揃えて、階段状の陳列面３０ａを形成させたものである。３個の商品陳列台１０のそれぞれの上下方向に嵌合形態は、上方の商品陳列台の切り欠き部２４、第１係合凸部１５の第２凹部１５２と、下方の商品陳列台のレール部１３であり、更に上方の商品陳列台の第２基板２の外枠と、下方の商品陳列台のレール部２３、チップ状の第２係合部２９である。組み合わせ体１０ａの階段状の陳列面３０ａであれば、奥の方に載置された陳列商品Ａであっても顧客の目から良く見える。
【００２０】
本発明における第２の実施の形態例の商品陳列セットを図１２を参照して説明する。図１２は２個の商品陳列台を用いた組み合わせ体の斜視図である。図１２中、組み合わせ体１０ｂは、２個の最大伸長状態の商品陳列台１０を左右方向に２個組み付け、水平陳列面を大きくしたものである。２個の商品陳列台の接続は、一方の商品陳列台の第１連結用雄部２５と、他方の商品陳列台の連結用雌部２７の嵌合によるものである。組み合わせ体１０ｂの平面状の陳列面３０ｂであれば、扁平状の陳列商品Ｂを沢山載置することができる。
【００２１】
本発明における第３の実施の形態例の商品陳列セットを図１３及び図１４を参照して説明する。図１３は５個の商品陳列台を用いた組み合わせ体の斜視図、図１４は図１３を逆サイドから見た斜視図である。図中、組み合わせ体１０ｃは、１個の縮小状態の商品陳列台１０、２個の最大伸長状態の商品陳列台１０の直列体及び２個の縮小状態と最大伸長状態の中間にある商品陳列台１０の直列体を、それぞれ、最上段、最下段及びその中間に配置し、一端（後方端）を揃えて、階段状の陳列面３０ｃを形成させたものである。３段の商品陳列台１０のそれぞれの上下方向に嵌合形態は、第１の商品陳列セット１０ａと同様であり、上方の商品陳列台の切り欠き部２４、第１係合凸部１５の第２凹部１５２と、下方の商品陳列台のレール部１３であり、更に上方の商品陳列台の第２基板２の外枠と、下方の商品陳列台のレール部２３、チップ状の第２係合部２９である。また、２個の商品陳列台の直列体の嵌合形態は、第２基板２の第２連結用雄部３１と、他の商品陳列台の第１係合凸部１５の第２凹部１５２である。組み合わせ体１０ｃの階段状の陳列面３０ｃであれば、組み合わせ体１０ａの階段状の陳列面３０ａに比べて、前後方向の設置スペースを更に広くできるため、多くの商品が陳列でき、且つ顧客の目から良く見える。
【図面の簡単な説明】
【００２２】
【図１】本実施の形態例の商品陳列台の分解斜視図である。
【図２】本例の商品陳列台の伸長型陳列面の縮小状態を示す斜視図である。
【図３】図１を左右方向に９０度回転させた方向から見た斜視図である。
【図４】本例の商品陳列台の伸長型陳列面の伸長状態を示す斜視図である。
【図５】図１の後方（裏側）から見た商品陳列台の分解斜視図である。
【図６】本例の商品陳列台の積層型陳列面を示す斜視図である。
【図７】図５の商品陳列台の一部を切り欠いて示す図である。
【図８】本例の商品陳列台の第１基板を裏側から見た図である。
【図９】図８の後方（裏側）から見た図である。
【図１０】図９の丸印を拡大して見た図である。
【図１１】本第１の実施の形態例の商品陳列セットを示す図である。
【図１２】本第２の実施の形態例の商品陳列セットを示す図である。
【図１３】本第３の実施の形態例の商品陳列セットを示す図である。
【図１４】図１３の逆サイドから見た商品陳列台の斜視図である。
【符号の説明】
【００２３】
１      第１基板
２      第２基板
１０      商品陳列台
１０ａ〜１０ｃ      商品陳列セット
１１      櫛部
１２      空間
１３、２３      レール部材
１４      第３係合部
１５      第１係合凸部
１８      第１基部
２０      第１係合凹部（縦溝）
２１      仕切り部
２２      凹部
２４      切り欠き部
２５      第１連結用雄部
２６      第１係合部
２７      連結用雌部
２８      第２基部
２９      第２係合部
３１      第２連結用雄部
１５１    鍔部
１５２    第２係合凹部
【図１】
0004738917.tif 000002
【図２】
0004738917.tif 000003
【図３】
0004738917.tif 000004
【図４】
0004738917.tif 000005
【図５】
0004738917.tif 000006
【図６】
0004738917.tif 000007
【図７】
0004738917.tif 000008
【図８】
0004738917.tif 000009
【図９】
0004738917.tif 000010
【図１０】
0004738917.tif 000011
【図１１】
0004738917.tif 000012
【図１２】
0004738917.tif 000013
【図１３】
0004738917.tif 000014
【図１４】
0004738917.tif 000015